【手続補正書】
【提出日】平成23年5月16日(2011.5.16)
【手続補正１】
【補正対象書類名】特許請求の範囲
【補正対象項目名】全文
【補正方法】変更
【補正の内容】
【特許請求の範囲】
【請求項１】
メインＣＰＵを搭載したメイン制御基板と、
サブＣＰＵを搭載したサブ制御基板と、
画像データの信号処理を行う画像制御ＩＣ、及び前記画像制御ＩＣを介して画像表示を制御する画像制御ＣＰＵを搭載した第２サブ制御基板と
を、ぞれぞれ別体で備え、
遊技中の演出を行う機器であって、役の当選可能性の告知演出時を含む演出時に点灯又は所定の表示を行うランプ類、及び演出用画像を表示する画像表示装置を含む演出用周辺機器と、
前記演出用周辺機器以外の周辺機器であって、遊技に関する所定の動作に用いられる遊技用周辺機器とを備え、
前記メイン制御基板と前記遊技用周辺機器とが電気的に接続され、
前記サブ制御基板と前記ランプ類とが電気的に接続され、
前記第２サブ制御基板と前記画像表示装置とが電気的に接続され、
前記メイン制御基板と前記サブ制御基板とが電気的に接続され、かつ前記サブ制御基板と前記第２サブ制御基板とが電気的に接続されることにより、前記メイン制御基板と前記サブ制御基板と前記第２サブ制御基板とが直列接続され、
前記メイン制御基板は、
入力用の前記遊技用周辺機器からの入力を検知する遊技用周辺機器入力検知手段と、
出力用の前記遊技用周辺機器の出力を制御する遊技用周辺機器出力制御手段と、
前記演出用周辺機器の出力に関する情報を一方向で前記サブ制御基板に送信する出力情報送信手段とを備え、
前記サブ制御基板は、
前記メイン制御基板から送信されてきた出力に関する情報を受信する出力情報受信手段と、
前記出力情報受信手段で受信した情報に基づいて、前記ランプ類の出力を制御する演出用周辺機器出力制御手段と、
画像制御用信号を前記第２サブ制御基板に送信する手段と
を備え、
前記第２サブ制御基板の前記画像制御ＣＰＵは、前記サブ制御基板から送信される画像制御用信号に基づいて、前記画像制御ＩＣによって画像データに信号処理を施して前記画像表示装置による画像表示を制御し、
遊技に関する情報として、第１の情報と第２の情報とを有し、
前記第１の情報については、前記遊技用周辺機器出力制御手段による出力を行うが、前記演出用周辺機器出力制御手段による出力は行わないように制御し、
前記第２の情報については、前記遊技用周辺機器出力制御手段による出力を行うとともに、前記演出用周辺機器出力制御手段による出力も行うように制御する
ことを特徴とするスロットマシン。
【手続補正２】
【補正対象書類名】明細書
【補正対象項目名】０００７
【補正方法】変更
【補正の内容】
【０００７】
本発明は、以下の解決手段によって、上述の課題を解決する。
（請求項１）
請求項１の発明は、メインＣＰＵを搭載したメイン制御基板と、ブＣＰＵを搭載したサブ制御基板と、画像データの信号処理を行う画像制御ＩＣ、及び前記画像制御ＩＣを介して画像表示を制御する画像制御ＣＰＵを搭載した第２サブ制御基板とを、ぞれぞれ別体で備え、遊技中の演出を行う機器であって、役の当選可能性の告知演出時を含む演出時に点灯又は所定の表示を行うランプ類、及び演出用画像を表示する画像表示装置を含む演出用周辺機器と、前記演出用周辺機器以外の周辺機器であって、遊技に関する所定の動作に用いられる遊技用周辺機器とを備え、前記メイン制御基板と前記遊技用周辺機器とが電気的に接続され、前記サブ制御基板と前記ランプ類とが電気的に接続され、前記第２サブ制御基板と前記画像表示装置とが電気的に接続され、前記メイン制御基板と前記サブ制御基板とが電気的に接続され、かつ前記サブ制御基板と前記第２サブ制御基板とが電気的に接続されることにより、前記メイン制御基板と前記サブ制御基板と前記第２サブ制御基板とが直列接続され、前記メイン制御基板は、入力用の前記遊技用周辺機器からの入力を検知する遊技用周辺機器入力検知手段と、出力用の前記遊技用周辺機器の出力を制御する遊技用周辺機器出力制御手段と、前記演出用周辺機器の出力に関する情報を一方向で前記サブ制御基板に送信する出力情報送信手段とを備え、前記サブ制御基板は、前記メイン制御基板から送信されてきた出力に関する情報を受信する出力情報受信手段と、前記出力情報受信手段で受信した情報に基づいて、前記ランプ類の出力を制御する演出用周辺機器出力制御手段と、画像制御用信号を前記第２サブ制御基板に送信する手段とを備え、前記第２サブ制御基板の前記画像制御ＣＰＵは、前記サブ制御基板から送信される画像制御用信号に基づいて、前記画像制御ＩＣによって画像データに信号処理を施して前記画像表示装置による画像表示を制御し、遊技に関する情報として、第１の情報と第２の情報とを有し、前記第１の情報については、前記遊技用周辺機器出力制御手段による出力を行うが、前記演出用周辺機器出力制御手段による出力は行わないように制御し、前記第２の情報については、前記遊技用周辺機器出力制御手段による出力を行うとともに、前記演出用周辺機器出力制御手段による出力も行うように制御することを特徴とする。
【手続補正３】
【補正対象書類名】明細書
【補正対象項目名】０００８
【補正方法】変更
【補正の内容】
【０００８】
請求項１の発明においては、スロットマシンの制御基板は、別体のメイン制御基板、サブ制御基板、及び第２サブ制御基板を備えており、それぞれに搭載されたメインＣＰＵ、サブＣＰＵ、及び画像制御ＣＰＵによって、スロットマシンが制御される。
メイン制御基板には、遊技に関する所定の動作に用いられる遊技用周辺機器が接続される。メイン制御基板には、入力用の遊技用周辺機器からの入力を検知する遊技用周辺機器入力検知手段と、出力用の遊技用周辺機器の出力を制御する遊技用周辺機器出力制御手段とが設けられており、これらによって遊技用周辺機器の入出力が制御される。
また、サブ制御基板には、遊技中の演出を行う演出用周辺機器のうち、ランプ類が接続される。サブ制御基板には、演出用周辺機器出力制御手段が設けられ、これによってランプ類の出力が制御される。
【手続補正４】
【補正対象書類名】明細書
【補正対象項目名】０００９
【補正方法】変更
【補正の内容】
【０００９】
さらに、メイン制御基板とサブ制御基板とは、メイン制御基板からサブ制御基板側に情報を一方向で送信可能なように接続されている。そして、メイン制御基板に設けられた出力情報送信手段は、サブ制御基板に対し、演出用周辺機器の出力に関する情報を送信する。サブ制御基板に設けられた出力情報受信手段は、この情報を受信し、上記の演出用周辺機器出力制御手段は、この受信した情報に基づいてランプ類の出力を制御する。
さらにまた、第２サブ制御基板には、遊技中の演出を行う演出用周辺機器のうち、画像表示装置が接続される。画像表示装置は、第２サブ制御基板の画像制御ＣＰＵ及び画像制御ＩＣ等によってその出力が制御される。
【手続補正５】
【補正対象書類名】明細書
【補正対象項目名】００１０
【補正方法】変更
【補正の内容】
【００１０】
したがって、メイン制御基板は、演出用周辺機器の出力に関する情報をサブ制御基板に送信するのみであり、演出用周辺機器の具体的な出力の制御は、サブ制御基板及びさらにその下位の第２サブ制御基板によって行われる。よって、演出用周辺機器を制御するための演出データの容量は一般に大きいが、上記のように制御することで、メイン制御基板内の演出用周辺機器に関する制御の負担が軽減され、メイン制御基板の容量に余裕を持たせることができる。また、例えば、メイン制御基板は、サブ制御基板に対して演出用周辺機器の出力の制御に関する大まかな情報を送信すれば、サブ制御基板及び第２サブ制御基板側で、その情報の内容を理解して演出用周辺機器を制御することも可能となる。
【手続補正６】
【補正対象書類名】明細書
【補正対象項目名】００１３
【補正方法】削除
【補正の内容】
【手続補正７】
【補正対象書類名】明細書
【補正対象項目名】００１４
【補正方法】削除
【補正の内容】
【手続補正８】
【補正対象書類名】明細書
【補正対象項目名】００１８
【補正方法】変更
【補正の内容】
【００１８】
（請求項１）
請求項１の発明によれば、メイン制御基板は、演出用周辺機器の出力に関する情報をサブ制御基板に送信するのみであり、演出用周辺機器の具体的な出力の制御は、サブ制御基板及び第２サブ制御基板によって行うようにした。よって、メイン制御基板内の演出用周辺機器に関する制御の負担が軽減され、メイン制御基板の容量に余裕を持たせることができる。
また、例えば、メイン制御基板は、サブ制御基板に対して演出用周辺機器の出力の制御に関する大まかな情報を送信すれば、サブ制御基板及び第２サブ制御基板側で、その情報の内容を理解して演出用周辺機器を制御することも可能となる。